(57)【要約】【課題】操作入力に応じてフォーカスの表示形態を変更し、直感的にわかりやすい操作状態を提示することが可能な情報処理装置を提供する。【解決手段】本発明の情報処理装置は、操作入力を検出する検出部１１２、１１４と、複数のコンテンツからなるコンテンツ群を表示部１１６に表示させ、操作入力に基づいてコンテンツ群から少なくとも一のコンテンツを選択していることを示す選択情報を移動させ、選択情報の移動速度に基づいて選択情報の表示形態を変更する表示制御部１２０と、を備える。【選択図】図８
2011108186.tif 000002
【特許請求の範囲】
【請求項１】
操作入力を検出する検出部と、
複数のコンテンツからなるコンテンツ群を表示部に表示させ、前記操作入力に基づいて前記コンテンツ群から少なくとも一のコンテンツを選択していることを示す選択情報を移動させ、前記選択情報の移動速度に基づいて前記選択情報の表示形態を変更する表示制御部と、
を備える、情報処理装置。
【請求項２】
前記表示制御部は、前記操作入力が検出された位置に基づいて、前記選択情報の表示位置を決定する、請求項１に記載の情報処理装置。
【請求項３】
前記表示制御部は、押圧操作入力が検出されたときに、前記選択情報が選択している前記コンテンツに対応する処理を実行する、請求項２に記載の情報処理装置。
【請求項４】
前記表示制御部は、前記選択情報の移動速度に基づいて、一つの前記コンテンツの選択を示す単一選択情報から複数の前記コンテンツを選択していることを示す複数選択情報へ前記選択情報を変更する、請求項１に記載の情報処理装置。
【請求項５】
複数の前記コンテンツは、格子状に配列されており、
前記表示制御部は、前記複数選択情報として、一行に配列された全てのコンテンツを選択する前記選択情報を表示させる、請求項４に記載の情報処理装置。
【請求項６】
前記表示制御部は、前記操作入力が検出された位置に基づいて、前記複数選択情報の表示位置を決定する、請求項５に記載の情報処理装置。
【請求項７】
前記表示制御部は、前記操作入力が検出された位置と、前記コンテンツの表示高さと、一行に配列された前記コンテンツの数とに基づいて、前記単一選択情報の表示位置を決定する、請求項５に記載の情報処理装置。
【請求項８】
前記表示制御部は、前記選択情報の移動速度に基づいて、前記コンテンツの表示高さを拡張する、請求項７に記載の情報処理装置。
【請求項９】
前記表示制御部は、前記選択情報の移動速度に基づいて、前記選択情報により選択されている前記コンテンツに含まれる１または２以上の内容情報を表示させる、請求項１に記載の情報処理装置。
【請求項１０】
前記表示制御部は、前記選択情報の移動速度が大きくなるにつれて、選択する前記コンテンツの数を増加させる、請求項１に記載の情報処理装置。
【請求項１１】
前記表示制御部は、前記操作入力の移動速度および移動軌跡を示す補助情報をさらに表示させる、請求項１に記載の情報処理装置。
【請求項１２】
前記選択情報の移動速度は、前記操作入力と前記コンテンツ群との相対移動速度に基づいて決定される、請求項１に記載の情報処理装置。
【請求項１３】
操作入力を検出する検出部と、
複数のコンテンツからなるコンテンツ群を表示部に表示させ、前記操作入力に基づいて前記コンテンツ群から少なくとも一のコンテンツを選択していることを示す選択情報を移動させ、前記操作入力の押圧力に基づいて、前記選択情報の表示形態を変更する表示制御部と、
を備える、情報処理装置。
【請求項１４】
操作入力を検出するステップと、
複数のコンテンツからなるコンテンツ群を表示部に表示させるステップと、
前記操作入力に基づいて前記コンテンツ群から少なくとも一のコンテンツを選択していることを示す選択情報を移動させるステップと、
前記選択情報の移動速度に基づいて前記選択情報の表示形態を変更するステップと、
を含む、情報処理方法。
【請求項１５】
操作入力を検出する検出手段と、
複数のコンテンツからなるコンテンツ群を表示手段に表示させ、前記操作入力に基づいて前記コンテンツ群から少なくとも一のコンテンツを選択していることを示す選択情報を移動させ、前記選択情報の移動速度に基づいて前記選択情報の表示形態を変更する表示制御手段と、
を備える、情報処理装置として機能させるためのプログラム。
【発明の詳細な説明】
【技術分野】
【０００１】
本発明は、フォーカスの表示形態を制御する情報処理装置、情報処理方法およびプログラムに関する。
【背景技術】
【０００２】
パーソナルコンピュータや携帯情報端末等において、情報の管理形態として、所定のグループに分類される複数の情報を一覧形式で表示し、情報の一覧から閲覧する所望の情報を選択することが一般的に行われている。表示部に一覧をすべて表示することができない場合には、一覧をスクロールすることで一覧に含まれる情報を表示部に表示させることができる。このような情報の一覧から所望の情報を選択する操作が行うとき、選択された情報をフォーカスすることで、ユーザが選択している情報を分かり易くする提示することができる。ユーザは、フォーカスを所望の情報に移動させて、所望の情報を選択する。
【０００３】
フォーカスを移動する操作入力は、例えば指等の操作体で画面を移動方向に直接ドラッグして画面スクロールを行うジェスチャや、例えば特許文献１に開示された回転操作されるダイヤル式の入力手段を用いて行うことができる。このような操作入力により、例えば図２０に示すように、表示部１に格子状に配列して表示された複数のコンテンツ２からなるコンテンツ一覧において、フォーカス３を移動させて、閲覧したいコンテンツ２を選択することができる。
【先行技術文献】
【特許文献】
【０００４】
【特許文献１】特開平１１−２４２６７５号公報
【発明の概要】
【発明が解決しようとする課題】
【０００５】
しかし、上記特許文献１に記載のようなハードウェアの入力手段を用いて、フォーカスの移動を行う場合、操作対象と当該操作対象を操作する操作体とが離れているため、現在の操作対象が不明確であるという問題があった。また、ハードウェアの入力手段を用いた場合には、選択した情報を決定する場合、ボタンの押下等、所定の処理を行わなければならないため、迅速な操作を妨げてしまうという問題もある。
【０００６】
また、フォーカスを移動させる操作入力が一軸のみである場合、情報の一覧が２次元に配列されているときのフォーカスの移動が直感的にわかり難く、煩雑であるという問題があった。例えば、図２０に示すように、格子状に配列されたコンテンツ２の一覧において、タッチパネル（図示せず。）上で指を上から下に移動させると、フォーカス３が左から右に移動されるとする。このとき、フォーカス３が最右端のコンテンツ２まで移動されると、次の指の移動によってフォーカスは次の列の最左端へ移動される。このように、Ｚ型にフォーカス３を移動させると、ユーザの操作とフォーカスの移動とが乖離してしまい、ユーザはどの情報をフォーカスさせているのかわかり難くなってしまう。
【０００７】
そこで、本発明は、上記問題に鑑みてなされたものであり、本発明の目的とするところは、操作入力に応じてフォーカスの表示形態を変更し、直感的にわかりやすい操作状態を提示することが可能な、新規かつ改良された情報処理装置、情報処理方法およびプログラムを提供することにある。
【課題を解決するための手段】
【０００８】
上記課題を解決するために、本発明のある観点によれば、操作入力を検出する検出部と、複数のコンテンツからなるコンテンツ群を表示部に表示させ、操作入力に基づいてコンテンツ群から少なくとも一のコンテンツを選択していることを示す選択情報を移動させ、選択情報の移動速度に基づいて選択情報の表示形態を変更する表示制御部と、を備える、情報処理装置が提供される。
【０００９】
本発明によれば、コンテンツ群から一のコンテンツを選択する際に表示される選択情報の表示形態を、選択情報の移動速度に基づいて変更する。これにより、直感的に分かりやすい選択情報を表示させて、操作性を向上させることができる。
【００１０】
ここで、表示制御部は、操作入力が検出された位置に基づいて、選択情報の表示位置を決定してもよい。
【００１１】
また、表示制御部は、押圧操作入力が検出されたときに、選択情報が選択しているコンテンツに対応する処理を実行してもよい。
【００１２】
さらに、表示制御部は、選択情報の移動速度に基づいて、一つのコンテンツの選択を示す単一選択情報から複数のコンテンツを選択していることを示す複数選択情報へ選択情報を変更してもよい。
【００１３】
複数のコンテンツは、格子状に配列されており、表示制御部は、複数選択情報として、一行に配列された全てのコンテンツを選択する選択情報を表示させてもよい。
【００１４】
このとき、表示制御部は、操作入力が検出された位置に基づいて、複数選択情報の表示位置を決定してもよい。あるいは、表示制御部は、操作入力が検出された位置と、コンテンツの表示高さと、一行に配列されたコンテンツの数とに基づいて、単一選択情報の表示位置を決定してもよい。
【００１５】
また、表示制御部は、選択情報の移動速度に基づいて、コンテンツの表示高さを拡張してもよい。
【００１６】
さらに、表示制御部は、選択情報の移動速度に基づいて、選択情報により選択されているコンテンツに含まれる１または２以上の内容情報を表示させてもよい。
【００１７】
また、表示制御部は、選択情報の移動速度が大きくなるにつれて、選択するコンテンツの数を増加させてもよい。
【００１８】
さらに、表示制御部は、操作入力の移動速度および移動軌跡を示す補助情報をさらに表示させてもよい。
【００１９】
選択情報の移動速度は、操作入力とコンテンツ群との相対移動速度に基づいて決定されてもよい。
【００２０】
また、上記課題を解決するために、本発明の別の観点によれば、操作入力を検出する検出部と、複数のコンテンツからなるコンテンツ群を表示部に表示させ、操作入力に基づいてコンテンツ群から少なくとも一のコンテンツを選択していることを示す選択情報を移動させ、操作入力の押圧力に基づいて、選択情報の表示形態を変更する表示制御部と、を備える、情報処理装置が提供される。
【００２１】
さらに、上記課題を解決するために、本発明の別の観点によれば、操作入力を検出するステップと、複数のコンテンツからなるコンテンツ群を表示部に表示させるステップと、操作入力に基づいてコンテンツ群から少なくとも一のコンテンツを選択していることを示す選択情報を移動させるステップと、選択情報の移動速度に基づいて選択情報の表示形態を変更するステップと、を含む、情報処理方法が提供される。
【００２２】
また、上記課題を解決するために、本発明の別の観点によれば、コンピュータに上記の情報処理装置として機能させるためのコンピュータプログラムが提供される。コンピュータプログラムは、コンピュータが備える記憶装置に格納され、コンピュータが備えるＣＰＵに読み込まれて実行されることにより、そのコンピュータを上記の情報処理装置として機能させる。また、コンピュータプログラムが記録された、コンピュータで読み取り可能な記録媒体も提供される。記録媒体は、例えば磁気ディスクや光ディスクなどである。
【発明の効果】
【００２３】
以上説明したように本発明によれば、操作入力に応じてフォーカスの表示形態を変更し、直感的にわかりやすい操作状態を提示することが可能な情報処理装置、情報処理方法およびプログラムを提供することができる。
【図面の簡単な説明】
【００２４】
【図１】本発明の第１の実施形態に係る情報処理装置を備える撮像装置を示す説明図である。
【図２】指と表示画像との相対速度が所定の速度以上である場合のフォーカスの表示形態を示す説明図である。
【図３】指と表示画像との相対速度が所定の速度未満である場合のフォーカスの表示形態を示す説明図である。
【図４】同実施形態に係る情報処理装置のハードウェア構成を示すブロック図である。
【図５】同実施形態に係る情報処理装置の表示装置およびセンサ部の一構成例を示す説明図である。
【図６】同実施形態に係る情報処理装置の表示装置およびセンサ部の他の構成例を示す説明図である。
【図７】同実施形態に係る情報処理装置の機能構成を示すブロック図である。
【図８】同実施形態に係る情報処理装置のフォーカスの表示形態の制御処理を示すフローチャートである。
【図９】操作体を操作領域上側で接触させ続けたときのフォーカスの移動を示す説明図である。
【図１０】操作体を操作領域下側で接触させ続けたときのフォーカスの移動を示す説明図である。
【図１１】操作体と画像一覧との相対速度が閾値速度未満であるときのフォーカスの移動を示す説明図である。
【図１２】本発明の第２の実施形態に係るフォーカスの表示形態の遷移例を示す説明図である。
【図１３】同実施形態に係る情報処理装置によるフォーカスされた画像の拡張例を示す説明図である。
【図１４】表示情報の段階的な表示処理を伴う場合の表示遷移を示す説明図である。
【図１５】段階的に表示されたコンテンツの選択処理の一例を示す説明図である。
【図１６】段階的に表示されたコンテンツの選択処理の他の一例を示す説明図である。
【図１７】指と表示情報との相対速度に応じて変更するフォーカスの表示形態を示す説明図である。
【図１８】指と表示情報との相対速度に応じて変更するフォーカスの表示形態の他の例を示す説明図である。
【図１９】押圧力に応じて変更するフォーカスの表示形態を示す説明図である。
【図２０】従来のフォーカスの移動形態を示す説明図である。
【発明を実施するための形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
なお、説明は以下の順序で行うものとする。
１．第１の実施の形態（相対速度に応じたフォーカスの表示形態の変更）
２．第２の実施の形態（フォーカスされたコンテンツの表示範囲の拡張）
３．第３の実施の形態（段階的な表示処理を伴う場合のフォーカス表示処理）
４．第４の実施の形態（平面に配列されたコンテンツの選択）
【００２７】
＜１．第１の実施形態＞
［情報処理装置を備える撮像装置の構成例］
まず、図１〜図３に基づいて、本発明の第１の実施形態に係る情報処理装置を備える撮像装置の構成例について説明する。なお、図１は、本実施形態に係る情報処理装置を備える撮像装置を示す説明図である。図２は、指と表示画像との相対速度が所定の速度以上である場合のフォーカス２２０の表示形態を示す説明図である。図３は、指と表示画像との相対速度が所定の速度未満である場合のフォーカス２３０の表示形態を示す説明図である。
【００２８】
本実施形態に係る情報処理装置は、操作入力を行う操作体の移動速度に応じて情報を選択するフォーカスの表示形態を変更するものであり、例えば図１に示すような撮像装置に備えることができる。本実施形態に係る撮像装置は、筐体１０の前面側に設けられたレンズを介して撮像素子で取得した画像を表示するためのディスプレイ２０を、筐体１０の背面側に備えている。また、撮像装置は、ディスプレイ２０の端辺、あるいはディスプレイ２０の側部に、操作情報の入力を検出するための検出部としてタッチセンサおよび圧力センサを備える操作領域３０が設けられる。本実施形態に係る操作領域３０では、一方向（例えば上下方向）のみの操作方向を検出することができる。
【００２９】
撮像装置は、取得した画像を図１に示すように一覧形式で表示して、選択された一の画像をディスプレイ２０の表示領域全面に表示する。画像の選択は、一覧内の画像をフォーカスさせることにより行うことができる。また、画像数が多く、すべての画像の一覧をディスプレイ２０に表示させることができない場合には、ユーザは、操作領域３０上で指を移動させて、ディスプレイ２０に表示される画像一覧をスクロールすることができる。例えば、ユーザは、図１に示すように、片手で撮像装置を保持したときに、ディスプレイ２０に表示された画像一覧を確認しながら、操作領域上で指を移動させて、フォーカスを移動させたりディスプレイ２０の画像一覧をスクロールさせたりする。
【００３０】
このとき、フォーカスの移動は、操作領域の構成より、指の上下方向の動きによって行われるが、図１に示すように画像一覧が２次元に配列されているとき、指の移動方向とフォーカスの移動方向とが一致しない場合がある。このような場合にも、直感的にわかりやすいフォーカスの移動を行うことができ、かつ操作性を向上させるため、情報処理装置は、指による入力操作と画像一覧（コンテンツ群）との相対移動速度に基づいて、図２および図３に示すようにフォーカスを表示する。
【００３１】
例えば、指を操作領域上で素早く移動させると、フォーカスを移動させる指と表示情報である画像一覧（コンテンツ群）との相対速度が速くなり、フォーカスの移動速度が速くなる。フォーカスを移動させる指と表示情報である画像一覧（コンテンツ群）との相対速度が所定の速度以上となると、情報処理装置は、図２に示すように、行単位で画像（コンテンツ）２１０を選択するフォーカス２２０を表示させる。フォーカス２２０は、複数の画像（コンテンツ）を選択する複数選択情報である。このようなフォーカス２２０が表示された状態で指を下方向に移動させると、図２の下図に示すように、フォーカス２２０が行単位で画像（コンテンツ）２１０を選択するように移動される。
【００３２】
一方、指を操作領域上でゆっくり移動させると、フォーカスを移動させる指と画像一覧（コンテンツ群）との相対速度が遅くなり、フォーカスの移動速度が遅くなる。指と画像一覧との相対速度が所定の速度未満となると、情報処理装置は、図３に示すように、各画像（コンテンツ）単位で画像（コンテンツ）２１０を選択するフォーカス２３０を表示させる。フォーカス２３０は、１つの画像（コンテンツ）を選択する単一選択情報である。このようなフォーカス２３０が表示された状態で指を下方向に移動させると、図３の下図に示すように、フォーカス２３０は右方向へ、各画像（コンテンツ）単位で１つずつ移動する。
【００３３】
このように、指等の操作体と表示情報との相対速度に応じて決定されるフォーカスの移動速度に基づいてフォーカスの表示形態を変化させることにより、指の移動と表示情報との関連性が明確となるので直感的な操作が可能となり、操作性を向上させることができる。以下では、このような情報処理装置の構成とこれによる処理について、詳細に説明していく。
【００３４】
なお、第１の実施形態および後述する第２の実施形態では、情報処理装置を備える装置を撮像装置とし、例えば図１に示すように写真を一覧形式で表示させた状態を一例として説明する。しかし、本発明はかかる例に限定されず、本発明の情報処理装置は携帯端末やパーソナルコンピュータ等の情報処理端末等に備えることもできる。そして、例えば図１に示すように表示部に一覧形式で表示される画像は、上述した写真だけでなく、例えば静止画データや動画データ、音楽データ、テキストデータ、電子ブックコンテンツデータ、フォルダ等のデータを示す表示コンテンツとすることができる。
【００３５】
すなわち、ディスプレイに一覧形式で表示されている複数の画像には、それぞれ、ユーザの操作によって最終的に実行（再生、表示等）される上述したようなデータが対応付けられている。画像一覧から１つの画像が決定されると、決定された画像に対応付けられているデータが実行される。画像の内容としては、例えば、静止画データや動画データであればそのデータのサムネイル、音楽データであればこれが含まれるアルバムのジャケット写真、電子ブックコンテンツデータであれば当該コンテンツに対応する本のカバー写真等とすることができる。
【００３６】
そして、これらの画像が指等の操作体による押圧操作によって決定されれば、決定された画像に対応する、写真、静止画データ、動画データ、音楽データ、電子ブックコンテンツデータ等のデータの再生が実行される。あるいは、決定された画像に対応するデータに関する情報をテキスト表示させるようにしてもよい。例えば、決定された画像に静止画データや動画データが対応付けられているときには、当該データのタイトル、作成者、作成日時等をテキスト表示させてもよい。決定された画像に音楽データが対応付けられているときには、当該データのトラック名、アルバム名、アーティスト名等をテキスト表示させてもよい。また、このように静止画データ、動画データ、音楽データ等のデータにテキストデータが付加されている場合には、テキストデータの内容を、対応するデータを示す表示コンテンツとして一覧表示させるようにすることもできる。
【００３７】
［情報処理装置のハードウェア構成］
まず、図４〜図６に基づいて、本実施形態に係る情報処理装置１００のハードウェア構成について説明する。なお、図４は、本実施形態に係る情報処理装置１００のハードウェア構成を示すブロック図である。図５および図６は、本実施形態に係る情報処理装置１００の表示装置１０４およびセンサ部の構成例を示す説明図である。
【００３８】
本実施形態に係る情報処理装置１００は、図４に示すように、ＣＰＵ（Ｃｅｎｔｒａｌ  Ｐｒｏｃｅｓｓｉｎｇ  Ｕｎｉｔ）１０１と、ＲＡＭ（Ｒａｎｄｏｍ  Ａｃｃｅｓｓ  Ｍｅｍｏｒｙ）１０２と、不揮発性メモリ１０３とを備える。さらに、情報処理装置１００は、表示装置１０４と、タッチセンサ１０５と、圧力センサ１０６とを備える。
【００３９】
ＣＰＵ１０１は、演算処理装置および制御装置として機能し、各種プログラムに従って情報処理装置１００内の動作全般を制御する。また、ＣＰＵ１０１は、マイクロプロセッサであってもよい。ＲＡＭ１０２は、ＣＰＵ１０１の実行において使用するプログラムや、その実行において適宜変化するパラメータ等を一時記憶する。これらはＣＰＵバスなどから構成されるホストバスにより相互に接続されている。不揮発性メモリ１０３は、ＣＰＵ１０１が使用するプログラムや演算パラメータ等を記憶する。不揮発性メモリ１０３は、例えばＲＯＭ（Ｒｅａｄ  Ｏｎｌｙ  Ｍｅｍｏｒｙ）やフラッシュメモリ等を用いることができる。
【００４０】
表示装置１０４は、情報を出力する出力装置の一例である。表示装置１０４として、例えばＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置などを用いることができる。本実施形態では、図１に示した、撮像装置のディスプレイ２０を用いることができる。
【００４１】
タッチセンサ１０５は、ユーザが情報を入力する入力装置の一例であって、情報を入力ための入力手段と、ユーザによる入力に基づいて入力信号を生成し、ＣＰＵ１０１に出力する入力制御回路などから構成されている。ユーザは、タッチセンサ１０５を操作することにより、情報処理装置１００に対して各種のデータを入力したり処理動作を指示したりすることができる。また、圧力センサ１０６は、ユーザが操作体によって押圧する押圧力を検出するセンサである。圧力センサ１０６は、検出した押圧力を電気信号に変換し、検出結果として出力する。
【００４２】
本実施形態に係る情報処理装置１００のタッチセンサ１０５および圧力センサ１０６は、表示情報を移動させる操作情報の入力を検出するセンサ部１０７である。タッチセンサ１０５および圧力センサ１０６からなるセンサ部１０７は、例えば図５に示すように、表示装置１０４とは別体に、当該表示装置１０４の側部に設けてもよく、図６に示すように、表示装置１０４と積層して設けてもよい。なお、表示装置１０４とセンサ部１０７とを積層させる場合、図６のように表示装置１０４の表示領域全面にわたってセンサ部１０７を設けてもよく、操作入力が行われる操作領域３０にのみセンサ部１０７を設けてもよい。
【００４３】
［情報処理装置の機能構成］
次に、図７に基づいて、本実施形態に係る情報処理装置１００の機能構成について説明する。なお、図７は、本実施形態に係る情報処理装置１００の機能構成を示すブロック図である。本実施形態に係る情報処理装置１００は、図７に示すように、入力表示部１１０と、表示制御部１２０と、接触判定部１３０と、圧力判定部１４０と、記憶部１５０とからなる。
【００４４】
入力表示部１１０は、情報を表示するとともに情報を入力するための機能部であって、接触検出部１１２と、圧力検出部１１４と、表示部１１６とを備える。接触検出部１１２は、図４のタッチセンサ１０５に対応し、センサ部１０７が設けられた操作領域に操作体が接触したか否かに応じて変化する静電容量の値を検出する。操作体が表示面に接触すると、接触検出部１１２の検出する静電容量が増加する。これより、接触検出部１１２の検出した静電容量の値が所定の値を超えたとき、操作置が表示面に接触していると判定することができる。接触検出部１１２は、検出した静電容量の値を検出結果として表示制御部１２０へ出力する。
【００４５】
圧力検出部１１４は、図４の圧力センサ１０６に対応し、操作体が操作領域を押圧する圧力を検出する。圧力検出部１１４は、圧力の大きさに応じた電気信号を検出結果として表示制御部１２０へ出力する。表示部１１６は、図４の表示装置１０４に対応する出力装置であって、表示制御部１２０により表示処理された情報を表示する。表示部１１６には、例えば撮像装置により取得した画像や、画像一覧等が表示される。
【００４６】
表示制御部１２０は、接触検出部１１２および圧力検出部１１４から入力された検出結果に基づいて、表示部１１６に表示された画像一覧のフォーカスの表示形態を制御する制御部である。表示制御部１２０は、接触検出部１１２から入力された静電容量の値を接触判定部１３０へ出力し、接触判定部１３０に操作体が表示部１１６の表示面に接触したか否かを判定させる。そして、表示制御部１２０は、接触判定部１３０の判定結果を受け取ると、判定結果に基づき、フォーカスの表示形態の制御処理を開始する。さらに、表示制御部１２０は、接触判定部１３０の認識した操作体の接触位置より当該操作体の移動量および移動速度を算出する。そして、操作体の移動速度と表示部１１６に表示された画像一覧の移動速度とから操作体と画像一覧との相対速度を算出し、相対速度に応じてフォーカスの表示形態を変更する。
【００４７】
また、表示制御部１２０は、圧力検出部１１４から入力された圧力の大きさを示す電気信号を圧力判定部１４０へ出力し、圧力判定部１４０に対して、操作体の動作により生じた圧力の大きさや圧力の変化量を判定させる。そして、表示制御部１２０は、圧力判定部１４０の判定結果を受け取ると、判定結果に基づいて、フォーカスの表示形態の制御処理を開始する。その後、表示制御部１２０は、操作体の移動速度に応じた表示形態でフォーカスを表示部１１６に表示させる。
【００４８】
接触判定部１３０は、接触検出部１１２の検出結果に基づいて、表示部１１６の表示面に対する操作体の接触の有無および接触位置を判定する。接触判定部１３０は、表示制御部１２０から接触検出部１１２の各静電センサの検出した静電容量の値が入力されると、操作体が表示部１１６の表示面に接触しているか否かを判定する。接触判定部１３０は、静電容量の増加量が所定の値を超えたとき操作体が表示面に接触したと判定する。また、接触判定部１３０は、所定の値以上の静電容量が検出された静電センサの位置より、表示面における操作体の接触位置も認識することができる。そして、接触判定部１３０は、操作体が表示面に接触したか否かについての判定結果と、接触したと判定した場合には操作体の接触位置とを、表示制御部１２０へ出力する。
【００４９】
圧力判定部１４０は、圧力検出部１１４の検出結果に基づいて、操作体が表示面を押圧する圧力の大きさを判定する。本実施形態にかかる入力表示装置１００では、ユーザが表示面を押圧する圧力の大きさを変化させることにより、フォーカスされた画像の決定等の処理を行うことができる。圧力判定部１４０は、圧力検出部１１４の検出結果について、記憶部１５０を参照して操作領域における圧力の大きさやその変化量を判定し、表示処理部１２０へ判定結果を出力する。表示制御部１２０は、判定結果よりその動作に対応付けられた処理を実行する。
【００５０】
記憶部１５０は、図４の不揮発性メモリ１０３に対応し、操作領域における圧力の大きさの程度を判定するために用いられる各種設定情報が記憶されている。設定情報としては、フォーカスの表示形態を変更する基準となる操作体の移動速度（閾値速度）等がある。
【００５１】
［情報処理装置によるフォーカスの表示形態の制御］
このような情報処理装置１００を備えることにより、フォーカスの移動速度を決定付ける操作体と画像一覧との相対速度に応じて画像一覧にて画像を選択するフォーカスの表示形態を変更することができる。以下、図８〜図１１に基づいて、本実施形態に係る情報処理装置１００によるフォーカスの表示形態の制御処理について説明する。なお、図８は、本実施形態に係る情報処理装置１００の表示制御処理を示すフローチャートである。図９は、操作体を操作領域上側で接触させ続けたときのフォーカス２２０の移動を示す説明図である。図１０は、操作体を操作領域下側で接触させ続けたときのフォーカス２２０の移動を示す説明図である。図１１は、操作体と画像一覧との相対速度が閾値速度未満であるときのフォーカスの移動を示す説明図である。なお、以下では、操作体をユーザの指として説明する。
【００５２】
本実施形態に係る情報処理装置１００によるフォーカスの表示形態の制御は、当該処理を開始する開始動作を検出することにより開始される。例えば、表示部１１６に画像一覧が表示された状態でユーザの指等の操作体が操作領域に接触（タッチ）することを開始動作とすることができる。このとき、情報処理装置１００は、接触検出部１１２の検出結果に基づいて、接触判定部１３０により操作体が接触領域に接触したか否かを判定する（ステップＳ１００）。操作体の接触はないと判定した場合は、情報処理装置１００は当該処理を終了する。一方、操作体が接触したと判定した場合には、情報処理装置１００は、指と画像一覧との相対速度が閾値速度以上であるか否かを判定する（ステップＳ１１０）。
【００５３】
本実施形態では、指の移動方向に応じて、画像一覧のフォーカス位置が移動される。例えば、指を下方向に移動させた場合には、画像一覧のフォーカスは下方向へ移動され、指を上方向に移動させた場合には、画像一覧のフォーカスは上方向へ移動される。このとき、指の移動速度が大きく、指と画像一覧との相対速度が所定の閾値速度以上であるときには、フォーカスを大きく移動させたいと推測することができる。また、指の移動速度が小さく、指と画像一覧との相対速度が所定の閾値速度未満であるときには、フォーカスを細かく移動させたいと推測することができる。このような考え方に基づき、表示制御部１２０は、フォーカスの移動速度を決定づける指と画像一覧との相対速度に応じて、フォーカスの表示形態を変化させる。
【００５４】
指と画像一覧との相対速度が閾値速度以上である場合、表示制御部１２０は、指の位置に応じて画像一覧の画像を行単位でフォーカスする（ステップＳ１２０）。例えば、図２に示したように、表示制御部１２０は、画像が格子状に配置された画像一覧のうち、指の位置に対応する行の画像がすべて選択されるように複数の画像をフォーカスする。指をすばやく移動させると、フォーカスは表示制御部１２０によって指に追従して移動される。
【００５５】
このとき、操作領域の上側端部に接触させ続けているときには、図９に示すように、フォーカス２２０が上方向に移動してみえるように、画像一覧を下方向へスクロールさせるようにしてもよい。また、操作領域の下側端部に接触させ続けているときには、図１０に示すように、フォーカス２２０が下方向に移動してみえるように、画像一覧を上方向へスクロールさせるようにしてもよい。すなわち、指は静止していても、表示可能な画像一覧があるときには、画像一覧をスクロールさせて、指と画像一覧との相対速度に応じた表示形態でフォーカスを表示させるようにする。
【００５６】
フォーカスの移動速度は、指を操作領域の上側端部あるいは下側端部に接触させ続けている接触時間の長さに応じて変化するようにしてもよい。例えば、表示制御部は、接触時間が長くなると、フォーカスの移動速度を速くする。フォーカスの移動速度が所定の値以上になると、表示制御部１２０は、指と画像一覧との相対速度が閾値速度以上となるように、画像一覧をスクロールさせる。また、フォーカスの移動速度が所定の値よりも小さいときには、表示制御部１２０は、画像一覧の１つの画像を選択するフォーカスを移動させる。このとき、表示制御部１２０は、接触時間の長さに応じて、１つの画像を選択するフォーカスの移動速度を変化させてもよい。
【００５７】
一方、指と画像一覧との相対速度が閾値速度未満である場合、表示制御部１２０は、指の位置に応じて画像一覧の画像を画像単位でフォーカスする（ステップＳ１３０）。例えば、図３に示したように、表示制御部１２０は、指の位置に応じて画像２１０を選択するフォーカス２３０を順次移動させる。ここで、指の位置に対するフォーカス２３０の位置を、指の移動方向における画像一覧の行の高さ（指の移動方向における画像の表示高さ）における指の位置に基づいて決定してもよい。
【００５８】
例えば、画像一覧の行の高さ（コンテンツの表示高さ）と、一行に配列された画像（コンテンツ）の数とに基づいて、単一選択情報であるフォーカス２３０の表示位置を決定することができる。図１１に示すように、１つの行に３つの画像２１０が水平方向に配列されており、指の下方向への移動に伴いフォーカス２３０が右方向へ移動される場合を考える。このとき、画像一覧の行の高さを当該行に配列された画像の数（図１１では３つ）で等分する。等分された高さのうち、最上部の長さ領域を左の画像に、中央の長さ領域を中央の画像に、最下部の長さ領域を右の画像に、それぞれ対応付ける。そして、指を上下方向に移動させたときに、表示制御部１２０は、指が位置する長さ領域に対応する画像にフォーカス２３０を移動させる。これにより、指の位置とフォーカス位置とが乖離せず、移動操作を行いやすくなる。
【００５９】
その後、１つの画像のみがフォーカスされている状態で、指が操作領域で押し込まれたか否かが判定される（ステップＳ１４０）。指の押し込み動作は、圧力検出部１１４により検出することができる。圧力検出部１１４により検出された圧力の大きさが所定の圧力以上となり、その後指が操作領域を押下する圧力が急激に減少した場合、表示制御部１２０は、指の押し込み動作がなされたと判定し、現在フォーカス２３０が位置する画像２１０の選択を決定する（ステップＳ１５０）。一方、押し込み動作は行われていないと判定された場合には、ステップＳ１１０からの処理を繰り返す。
【００６０】
以上、本実施形態に係る情報処理装置１００の構成と、これによる情報処理方法について説明した。本実施形態によれば、指と画像一覧との相対速度に応じてフォーカスの表示形態を変更することにより、直感的にわかりやすい操作状態を提示することができる。
【００６１】
＜２．第２の実施形態＞
次に、図１２および図１３に基づいて、本発明の第２の実施形態に係る情報処理方法について説明する。本実施形態に係る情報処理装置の構成は第１の実施形態と同様であるが、本実施形態では、第１の実施形態に係る情報処理方法に加え、フォーカスの移動速度を決定付ける指と画像一覧との相対速度が所定の閾値速度未満であるときにそのフォーカスの存在する行の高さを拡張する。これにより、１つの画像に対応する行の長さ領域が十分にとれないことによる操作の誤認識等を解消することができる。以下、かかる処理について詳細に説明する。なお、図１２は、本実施形態に係るフォーカスの表示形態の遷移例を示す説明図である。図１３は、本実施形態に係る情報処理装置１００によるフォーカスされた画像の拡張例を示す説明図である。
【００６２】
図１２の状態Ａに示すように、複数の画像２１０が２次元に配列された画像一覧が表示されているとする。表示領域２００には、２つの行２１５Ａ、２１５Ｂ、２１５Ｃ、２１５Ｄが表示されており、各行には４つの画像２１０が並べられている。このような状態で、ユーザが行２１５Ｂに対応する操作領域に指を接触させると、状態Ｂに示すように、行２１５Ｂの画像２１０の表示範囲が、高さ方向（画像の配列方向に対して直交する方向、図１２の紙面上下方向）に拡張される。
【００６３】
本実施形態では、操作領域の高さ方向における指の位置に対応して、フォーカスする画像が決定される。また、画像のフォーカス位置を操作する指と画像一覧との相対速度に応じて、フォーカスの表示形態が変更される。指と画像一覧との相対速度が閾値速度以上であるときには、第１の実施形態で説明したように、指の接触位置に対応する画像一覧の行がフォーカスされる。この場合には、その行を構成する画像の高さ領域内に指が位置すればその行がフォーカスされるため、指の移動とフォーカス位置との関連性が分かりやすく、操作を行いやすい。
【００６４】
これに対して、指と画像一覧との相対速度が閾値速度未満であるときには、その行を構成する画像の高さを、当該行を構成する画像数で等分した高さに応じて、フォーカス位置が変化する。このとき、等分された高さが指の大きさに対して十分に大きくない場合には、指の微細な移動や接触位置のずれ等によってフォーカス２３０が頻繁に移動してしまい、操作性を低下させることが考えられる。そこで、指と画像一覧との相対速度が閾値速度未満であって、フォーカス２３０を画像単位で移動させる状態においては、当該フォーカス２３０の位置する行の画像の高さを拡張する。これにより、１つの画像に対応する高さ領域が大きくなり、指の位置のずれ等による誤認識を軽減し、スムーズに１つずつ画像を選択することができる。
【００６５】
ここで、画像の表示範囲が拡張されたときの画像の表示形態は、例えば図１３に示すように、高さ方向の画像の表示倍率を大きくするのではなく、表示される画像の範囲を広げるようにするのがよい。これにより、画像の内容をユーザが認識しやすくなる。また、画像の表示範囲が高さ方向に拡張された行以外の行の画像の高さは、表示領域２００に収まるように、縮小される。この場合も、高さ方向の画像の表示倍率を小さくするのではなく、表示される画像の範囲を狭めるようにすることにより、画像の内容をユーザが認識しやすくなる。
【００６６】
図１２の状態Ｂより指を上方向に早く移動させ、指と画像一覧との相対速度が閾値速度移動になると、状態Ｃのように、画像一覧を行単位でフォーカスする表示形態に変更される。また、同様に、指を下方向に早く移動させ、指と画像一覧との相対速度が閾値速度移動になると、状態Ｄのように、画像一覧を行単位で選択するフォーカス２２０が下方向に移動される。このように画像を行単位でフォーカスする場合には、画像の高さは各行同一の高さに設定される。これにより、同一の操作感覚で各行を選択することができ、操作しやすくすることができる。
【００６７】
そして、状態Ｄにおいて、行２１５Ｄに対応する位置で指と画像一覧との相対速度が閾値速度未満となると、状態Ｅに示すように、行２１５Ｄの画像の高さが拡張され、画像単位で選択するためのフォーカス２３０が表示される。このときフォーカス２３０は、拡張された画像の高さをその行に含まれる画像数で等分したときに指の属する位置に対応する画像に位置するようにしてもよい。そして、指と画像一覧との相対速度が閾値速度未満の状態で、指をゆっくり下方向に移動させると、状態Ｆに示すようにフォーカス２３０が左側へ移動する。
【００６８】
以上、本発明の第２の実施形態に係る情報処理装置１００による情報処理方法について説明した。本実施形態によれば、指と画像一覧との相対速度が所定の閾値速度未満であるときにそのフォーカスの存在する行の高さを拡張する。これにより、１つの画像に対応する指の長さ領域が十分にとれないことによる操作の誤認識等を解消することができる。
【００６９】
＜３．第３の実施形態＞
次に、図１４〜図１６に基づいて、第３の実施形態に係る情報処理装置による情報処理方法について説明する。本実施形態に係る情報処理装置の構成も第１の実施形態と同様であるが、本実施形態では、表示情報の段階的な表示処理を伴う場合のフォーカス表示制御を説明する。なお、図１４は、表示情報の段階的な表示処理を伴う場合の表示遷移を示す説明図である。図１５は、段階的に表示されたコンテンツの選択処理の一例を示す説明図である。図１６は、段階的に表示されたコンテンツの選択処理の他の一例を示す説明図である。なお、第３の実施形態および後述する第４の実施形態では、表示部１１６に表示される情報をコンテンツとして説明するが、当該コンテンツには、上述したように、ユーザの操作によって最終的に実行される、例えば写真や静止画データ、動画データ、音楽データ、テキストデータ、電子ブックコンテンツデータ、フォルダ等のデータが対応付けられているとする。
【００７０】
図１４に、複数のコンテンツが配列されたコンテンツ群から選択されたコンテンツの内容を表示する一表示例を示す。図１４の左図のように、表示領域２００には、Ｅｖｅｎｔ１〜４の４つのコンテンツ２１０が縦方向に配列されている。本実施形態におけるコンテンツ２１０は、例えば、写真等の静止画像の集合や、映画、テレビ番組、その他の動画像、テキストの集合等である。ユーザは、指を操作領域上で上下方向に移動させることにより、フォーカス２２０を移動させる。コンテンツ２１０は、複数の情報の集合であることから、フォーカス２２０は、複数のコンテンツ２１０の選択を示す複数選択情報とみなすことができる。フォーカス２２０は、第１の実施形態と同様、フォーカスの移動速度を決定付ける指とコンテンツ群との相対速度が閾値速度以上である場合に移動され、指の位置に応じてフォーカス２２０の表示位置は変更する。例えば、Ｅｖｅｎｔ１に対応する位置にある指を下側へ移動させると、図１４の中央図に示すように、フォーカス２２０が下側へ移動される。
【００７１】
指とコンテンツ群との相対速度が閾値未満となったとき、情報処理装置１００の表示制御部１２０は、図１４の右図に示すようにフォーカスされたコンテンツ２２０（Ｅｖｅｎｔ３）の内容２１２を展開して表示する。コンテンツ２１０の内容２１２は、例えば、コンテンツ２１０に含まれる各静止画像や、コンテンツ２１０が動画像であれば当該動画像のチャプタ等に該当する。展開されたコンテンツ２１０の内容２１２は、例えばコンテンツ２１０の配列方向に対して直行する方向に配列することができる。このように、選択されたコンテンツ２１０を展開してその内容を表示することにより、コンテンツ２１０の内容をブラウズすることができるようになる。
【００７２】
その後、ユーザは展開されたコンテンツ２１０の内容２１２を選択して、表示させたり再生を実行させたりすることができる。内容２１２の選択は、第１の実施形態と同様、選択したい内容２１２に単一選択情報であるフォーカス２３０を合わせればよい。例えば、Ｅｖｅｎｔ３のコンテンツ２１０が展開されると、図１５の右図に示すように、内容２１２の表示範囲が高さ方向に拡張される。そして、ユーザは、指を上下に移動させることにより、左右方向に配列されたコンテンツ２１０の内容２１２を選択するためのフォーカス２３０を移動させることができる。表示領域２００に表示可能な内容数が制限されている場合には、コンテンツ２１０の内容をスクロールさせて、コンテンツ２１０に含まれるすべての内容２１２を視認できるようにする。
【００７３】
コンテンツ２１０の内容２１２を選択するための操作は、図１５右図のように、展開されたコンテンツ２１０の表示範囲内で行う。このとき、第１の実施形態と同様に、コンテンツ２１０の高さを表示された内容数で等分したときの位置に応じて、フォーカス２３０が移動される。そして、実行するコンテンツ２１０の内容２１２がフォーカスされた状態で、例えば指を押し込む等の所定の決定動作を行うことにより、フォーカスされたコンテンツ２１０の内容２１２を実行することができる。
【００７４】
また、図１６に、コンテンツ２１０の内容２１２が縦方向に配列される場合を示す。この場合も図１５と同様に、フォーカス２２０を合わせてコンテンツ群から一のコンテンツ２１０が選択されると、図１６右図に示すように、コンテンツ２１０が展開され、当該コンテンツ２１０に含まれる内容２１２が上下方向に配列されて表示される。フォーカス２２０により選択された範囲に表示された内容２１２がコンテンツ２１０の内容である。このとき、ユーザは、選択されたコンテンツ２１０の高さを操作範囲として、高さ方向に指を移動させることにより、コンテンツ２１０の内容２１２を選択するためのフォーカス２３０を移動させることができる。
【００７５】
指が操作範囲内で移動されている間は、コンテンツ２１０の内容２１２を選択するためのフォーカス２３０が指の移動に応じて移動されるが、指が移動範囲外に出ると、表示制御部１２０は、コンテンツ２１０の内容２１２を折り畳み、非表示とする。そして、図１６左図のような状態に戻ると、再び、コンテンツ群から一のコンテンツ２１０を選択可能な状態となる。このように、群となっているコンテンツ２１０のまとまりと、各コンテンツ２１０の内容２１２とをスムーズにブラウズすることができる。
【００７６】
＜４．第４の実施形態＞
次に、図１７〜図１９に基づいて、第４の実施形態に係る情報処理装置による情報処理方法について説明する。本実施形態に係る情報処理装置の構成も第１の実施形態と同様であるが、本実施形態では、指と表示情報との相対速度や押圧力に応じて、フォーカスする対象の数を変更するように表示処理される。なお、図１７は、指と表示情報との相対速度に応じて変更するフォーカス２８０の表示形態を示す説明図である。図１８は、指と表示情報との相対速度に応じて変更するフォーカス２８０の表示形態の他の例を示す説明図である。図１９は、押圧力に応じて変更するフォーカス２８０の表示形態を示す説明図である。
【００７７】
［相対速度に応じたフォーカスの表示形態の変更］
本実施形態では、表示装置１０４の表示領域に２次元に配列されたコンテンツ２１０が表示されており、図６に示すように表示領域全面にセンサ部１０７が設けられているものとする。本実施形態においては、センサ部１０７は、表示領域に接触して移動する指の移動方向を、一方向だけでなく、任意の方向について検出可能である。このとき表示領域上に指を接触させて移動させることにより、フォーカスの移動速度を決定付ける指とコンテンツ群との相対速度に応じてフォーカスするコンテンツ２１０の数を変更する。
【００７８】
例えば、図１７に示すように、指とコンテンツ群との相対速度が所定の閾値速度（以下、「第１閾値速度」とする。）より大きい場合には、指の接触位置の周りの複数（例えば「第１フォーカス数」とする。）のコンテンツ２１０にフォーカス２８０をあてる。指とコンテンツ群との相対速度が第１閾値速度よりも小さい場合には、フォーカス２８０をあてるコンテンツ２１０の数を第１フォーカス数よりも少なくする。そして、指とコンテンツ群との相対速度が所定の閾値速度（以下、「第２閾値速度」とする。）である場合には、図１７右図に示すように、指の接触位置に表示されているコンテンツ２１０にのみフォーカス２８０をあてる。
【００７９】
なお、フォーカスするコンテンツ２１０の数（フォーカス数）は、相対速度の大きさに応じて段階的に変化させてもよく連続的に変化させてもよい。このように、指とコンテンツ群との相対速度に応じてフォーカスされるコンテンツ２１０の数を変化させることにより、コンテンツ２１０の大まかな選択あるいは細かな選択を直感的に認識しながら操作することができる。
【００８０】
また、図１７の変形例として、フォーカス２８０に加えて、指の動きをフォーカスされているコンテンツ２１０と関連付ける補助情報を表示させてもよい。例えば、図１８に示すように、表示制御部１２０は、フォーカス２８０の表示位置に対応して、指の動きに合わせて変形・移動する不定形の補助情報２９０を表示させることができる。かかる補助情報２９０は、指の接触位置を示すとともに、移動された指の軌跡を示すように表示される。指とコンテンツ群との相対速度が第１閾値速度以上である場合には、補助情報２９０は、図１８左図に示すように接触する指の周囲に大きく表示されるとともに、指の軌跡上に残存表示されることにより、指の移動方向を表す。そして、指とコンテンツ群との相対速度が第１閾値速度より小さくなると、図１８の中央図のように、補助情報２９０の表示範囲は左図と比較して小さくなる。
【００８１】
その後、指とコンテンツ群との相対速度がゼロになると、図１８右図に示すように、指の接触位置の周囲のみに補助情報２９０が表示される。このように、選択されているコンテンツ２１０を示すフォーカス２８０に加えて、指の動きを表す補助情報２９０を表示することにより、ユーザはより直感的に指の動きとコンテンツ２１０の選択範囲との関係性を認識することができる。
【００８２】
［押圧力に応じたフォーカスの表示形態の変更］
図１７および図１８に示したようなフォーカス２８０の表示形態は、指とコンテンツ群との相対速度の代わりに、指の押圧力に応じて変形させてもよい。例えば、図１９に示すように、指が表示領域を押圧する押圧力が所定の圧力（例えば、「第１圧力」とする）よりも大きい場合には、フォーカスするコンテンツ数を増加し、接触する指の周囲に表示されているコンテンツ２１０を複数フォーカスする。このとき、図１８と同様に、指の動きおよび圧力の大きさを示す補助情報２９０を表示してもよい。補助情報２９０は、押圧力が大きいほど大きくなり、指の移動軌跡に沿って残存するように、表示される。
【００８３】
指の押圧力が第１圧力より小さいと、フォーカス２８０によってフォーカスされるコンテンツ２１０の数は少なくなる。これに伴い、補助情報２９０の表示範囲も狭くなる。そして、指の押圧力が所定の圧力（例えば、「第２圧力」とする。）より小さくなると、図１９右図に示すように、指の接触位置の周囲のみに補助情報２９０が表示される。このように、指の押圧力に応じてフォーカスされるコンテンツ２１０の数を変化させることにより、コンテンツ２１０の大まかな選択あるいは細かな選択を直感的に認識しながら操作することができる。また、選択されているコンテンツ２１０を示すフォーカス２８０に加えて、指の動きを表す補助情報２９０を表示することにより、ユーザはより直感的に指の動きとコンテンツ２１０の選択範囲との関係性を認識することができる。
【００８４】
以上、本発明の実施形態に係る情報処理装置とこれによる情報処理方法について説明した。上記実施形態によれば、操作体の移動速度や押圧力に応じてフォーカスの表示形態を変更し、直感的にわかりやすい操作状態を提示することができる。すなわち、操作体の位置および当該操作体とコンテンツ群との相対速度や押圧力に応じて、操作体を迅速に移動させているときには、操作体で直接フォーカス位置を操作しているような感覚をユーザに与えることができる。一方、操作体をゆっくり移動させているときには、コンテンツを１つずつ選択することができる。また、当該表示制御を行うことによって、段階的に表示されるコンテンツのブラウズもスムーズに行うことができる。
【００８５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８６】
例えば、上記実施形態では、格子状に配列されたコンテンツ群において各行のコンテンツの高さは同一であったが、本発明はかかる例に限定されない。例えば、１つの行を構成するコンテンツの高さが相違する場合には、最大高さのコンテンツを当該行の高さとしてもよい。
【符号の説明】
【００８７】
１００    情報処理装置
１１０    入力表示部
１１２    接触検出部
１１４    圧力検出部
１１６    表示部
１２０    表示制御部
１３０    接触判定部
１４０    圧力判定部
１５０    記憶部
２００    表示領域
２１０    コンテンツ
２２０、２３０、２８０  フォーカス
２９０    補助情報
【図１】
2011108186.tif 000003
【図２】
2011108186.tif 000004
【図３】
2011108186.tif 000005
【図４】
2011108186.tif 000006
【図５】
2011108186.tif 000007
【図６】
2011108186.tif 000008
【図７】
2011108186.tif 000009
【図８】
2011108186.tif 000010
【図９】
2011108186.tif 000011
【図１０】
2011108186.tif 000012
【図１１】
2011108186.tif 000013
【図１２】
2011108186.tif 000014
【図１３】
2011108186.tif 000015
【図１４】
2011108186.tif 000016
【図１５】
2011108186.tif 000017
【図１６】
2011108186.tif 000018
【図１７】
2011108186.tif 000019
【図１８】
2011108186.tif 000020
【図１９】
2011108186.tif 000021
【図２０】
2011108186.tif 000022